(57)【要約】【課題】盗難防止効果を容易かつ確実に向上させることができる電子機器の提供【解決手段】機器本体に着脱可能に設けられ、この機器本体と通信可能とされ、機器本体に送信される操作信号に応じて該機器本体を動作させる操作パネルと、機器本体に対応する操作パネルの固有の操作パネルＩＤ９９が記憶される記憶手段６５と、操作パネルからの操作信号に基いて、機器本体の制御を行う制御手段６６とを備え、この制御手段６６は、操作パネルに記憶内蔵され、操作信号に含まれる操作パネルＩＤ、および記憶手段に記憶された操作パネルＩＤ９９を照合判定する照合判定部と、この照合判定部により、操作信号に含まれる操作パネルＩＤが記憶手段６５に記憶された操作パネルＩＤと一致すると判定されると、操作信号の処理を開始し、不一致であると判定されると、操作信号の処理を禁止する信号処理部とを備える。【選択図】図３
2005192095.tif 000002
【特許請求の範囲】
【請求項１】
機器本体に着脱可能に設けられ、この機器本体と通信可能とされ、前記機器本体に送信される操作信号に応じて該機器本体を動作させる操作パネルと、
前記機器本体に対応する前記操作パネルの固有の操作パネルＩＤが記憶される記憶手段と、
前記操作パネルからの操作信号に基いて、前記機器本体の制御を行う制御手段とを備え、
この制御手段は、前記操作パネルに記憶内蔵され、前記操作信号に含まれる前記操作パネルＩＤ、および前記記憶手段に記憶された操作パネルＩＤを照合判定する照合判定部と、
この照合判定部により、前記操作信号に含まれる操作パネルＩＤが前記記憶手段に記憶された操作パネルＩＤと一致すると判定されると、前記操作信号の処理を開始し、不一致であると判定されると、前記操作信号の処理を禁止する信号処理部とを備えることを特徴とする電子機器。
【請求項２】
請求項１に記載の電子機器において、
前記記憶手段には、操作権限を管理するパスワードが記憶されるとともに、
前記制御手段は、前記照合判定部が前記操作信号に含まれる操作パネルＩＤが前記記憶された操作パネルＩＤと不一致であると判定すると、操作者にパスワードの入力を促すパスワード入力受付部と、入力されたパスワードおよび前記記憶手段に記憶されたパスワードを照合判定するパスワード判定部とを備え、
前記信号処理部は、このパスワード判定部により入力されたパスワードが前記記憶手段に記憶されたパスワードと一致すると判定されると、前記操作信号の処理を開始することを特徴とする電子機器。
【請求項３】
請求項１または請求項２に記載の電子機器において、
前記制御手段は、前記操作パネルが前記機器本体から取り外されると、該機器本体を遠隔操作する遠隔操作モード、または、前記操作パネルが取り外された状態で前記機器本体の電源が遮断されたことを検出すると警報信号を発する盗難防止モードに設定するモード設定部を備えていることを特徴とする電子機器。
【請求項４】
請求項１から請求項３のいずれかに記載の電子機器において、
前記制御手段は、前記操作パネルが前記機器本体に装着された状態か取り外された状態かを判定する状態判定部を備えていることを特徴とする電子機器。
【請求項５】
請求項４に記載の電子機器において、
前記機器本体は、前記操作パネルを装着するパネル装着部と、このパネル装着部および該機器本体の外周部に設けられ、前記操作パネルからの操作信号を受信する複数の信号受信部とを備え、
前記状態判定部は、前記パネル装着部の信号受信部でのみ前記操作信号を受信すると前記操作パネルが装着された状態であると判定し、該パネル装着部の信号受信部および他の信号受信部で前記操作信号を受信すると操作パネルが取り外された状態であると判定することを特徴とする電子機器。
【請求項６】
請求項１から請求項５のいずれかに記載の電子機器において、
前記機器本体は、前記操作パネルに対して信号を送信する信号送信部を備え、
前記制御手段は、この信号送信部から前記操作パネルに対して探索信号を送信する探索信号送信部を備え、
前記操作パネルは、前記探索信号送信部からの探索信号を受信する信号受信部と、この信号受信部で探索信号を受信すると音、光、および振動の少なくともいずれかの信号を発呼する信号発呼部とを備えていることを特徴とする電子機器。
【請求項７】
請求項６に記載の電子機器において、
前記機器本体には、前記探索信号送信部から探索信号を送信させる信号送信操作部が設けられ、
この信号送信操作部は、前記操作パネルが装着される前記機器本体のパネル装着部に設けられていることを特徴とする電子機器。
【請求項８】
請求項１から請求項７のいずれかに記載の電子機器において、
光源から射出された光束を画像情報に応じて変調して光学像を形成し、拡大投写するプロジェクタであることを特徴とする電子機器。
【発明の詳細な説明】
【技術分野】
【０００１】
本発明は、操作パネルを備える電子機器に関する。
【背景技術】
【０００２】
従来から、電子機器の盗難防止策としては、機器本体から操作パネルを取り外し、この操作パネルが装着されていた部分を覆うように盗難防止用パネルを装着するとともに、この盗難防止用パネルと機器本体とを専用キーで施錠し、電子機器を操作不能とすることが提案されている（特許文献１参照）。
一方、電子機器においては、機器本体の操作パネルのほかに、リモートコントローラ等の遠隔操作手段でも操作可能として、利便性を高めたものがある。
例えば、音楽・映像の鑑賞用や、会議等のプレゼンテーション用として使用される各種のマルチメディア電子機器において、機器本体を所定の場所に設置して音や画像等の出力を実施するとともに、リモートコントローラにより、出力の再生、停止、音量調整や画像のコントラスト調整等を手元で容易に操作できるものが知られている。
【０００３】
【特許文献１】特開平８−２６０７９４号公報（段落［０００５］、図１１）
【発明の開示】
【発明が解決しようとする課題】
【０００４】
しかしながら、特許文献１では、盗難防止用パネルや専用キーを必要とし、操作パネルと盗難防止用パネルとの付け替え作業や、専用キーの施錠・解錠作業が繁雑であるとともに、盗難防止用パネルや専用キーは、電子機器の使用中は利用されないので、紛失するおそれが生じてしまう。
また、上記のように操作パネルを機器本体から取り外して操作を制限しても、盗難された機器本体が別売りのリモートコントローラによって使用される場合があり、盗難を効果的に防止できないという問題があった。
さらに、近年、電子機器の小型化、軽量化が促進されるにつれて、盗難の問題は深刻化しており、新たな盗難防止策を講じる必要がある。
【０００５】
本発明の目的は、上記問題に鑑みて、盗難防止効果を容易かつ確実に向上させることができる電子機器を提供することにある。
【課題を解決するための手段】
【０００６】
本発明の電子機器は、機器本体に着脱可能に設けられ、この機器本体と通信可能とされ、前記機器本体に送信される操作信号に応じて該機器本体を動作させる操作パネルと、前記機器本体に対応する前記操作パネルの固有の操作パネルＩＤが記憶される記憶手段と、前記操作パネルからの操作信号に基いて、前記機器本体の制御を行う制御手段とを備え、この制御手段は、前記操作パネルに記憶内蔵され、前記操作信号に含まれる前記操作パネルＩＤ、および前記記憶手段に記憶された操作パネルＩＤを照合判定する照合判定部と、この照合判定部により、前記操作信号に含まれる操作パネルＩＤが前記記憶手段に記憶された操作パネルＩＤと一致すると判定されると、前記操作信号の処理を開始し、不一致であると判定されると、前記操作信号の処理を禁止する信号処理部とを備えることを特徴とする。
ここで、操作パネルとしては、機器本体と同梱のものに限らず、別売りの操作パネルも使用できる。そして、個々の操作パネルごとに付与されている操作パネルＩＤの判定によって、操作パネルによる機器本体の作動が制限される。
【０００７】
この発明によれば、機器本体に記憶された操作パネルＩＤ以外の操作パネルによる機器本体の操作は制限される。これにより、別売り等の操作パネルを入手して、盗難された機器本体を操作できないので、盗難防止効果を確実に向上させることができる。
また、このような操作パネルの使用制限により、電子機器の使用中、記憶されていない操作パネルＩＤの別の操作パネルによって勝手に操作されたり、誤って操作されたりして、電子機器の使用が妨害されることを回避できる。
さらに、電子機器を使用しないときは、操作パネルを機器本体から取り外して機器本体とは隔離して保管しておけば、操作パネルが外されていることは外観上明らかであるため、盗難防止効果の向上に寄与できる。
【０００８】
ここで、上記のような操作パネルＩＤの照合判定の導入により盗難防止が図られているから、従来のように、操作パネルを物理的に装着不能とするために、機器本体の操作パネル装着部分を盗難防止用パネルにより覆い、この盗難防止用パネルを専用キーで機械的に施錠する必要がなくなる。したがって、このようなパネルの付け替え作業や、専用キーの施錠・解錠作業のような面倒がなく、盗難防止パネルや専用キーを紛失するおそれもなく、盗難防止効果を容易に向上させることができる。
【０００９】
さらに、操作パネルが着脱可能に構成されていることから、この操作パネルを遠隔操作手段としても利用可能である。なお、遠隔操作の方式としては、赤外線方式、レーザー方式等を採用できる。従来の盗難防止策では、電子機器を使用しないときに操作パネルを取り外し、取り外した操作パネルは機器本体と別に保管されるだけであったが、本発明では、取り外した操作パネルは電子機器の使用中にも用いられる。
そのうえ、操作ボタン等を操作パネル側に集中させて機器本体側には主要な操作ボタンや、操作パネルと重複する操作ボタン等を設けないことにより、上記操作パネルの取り外しによる盗難防止効果をより効果的にできるとともに、電子機器の機能ごとの操作方法が一元化されるから、設計が単純となって低コスト化でき、操作の混乱を防止して操作性を向上させることができる。
【００１０】
また、操作パネルとしては、機器本体の各機能に応じた操作手段となる各種の操作ボタンが配置されたものや、液晶タッチパネル等を採用できる。さらに、操作パネルには、機器本体の状態等の情報を表示すれば便利である。
なお、操作パネルＩＤの形式等は任意に選択できるとともに、操作パネルと機器本体との通信時、操作パネルＩＤを暗号化すれば、操作パネルＩＤの不正な傍受に対処できる。この暗号化には様々な方法があるが、例えば、一組の公開鍵データおよび秘密鍵データを生成し、公開鍵による暗号化と秘密鍵による復号化を介して、機器本体と操作パネルとの通信を暗号化する公開鍵暗号方式を採用できる。
それから、操作パネルＩＤによる機器本体の操作制限を行わないモードを設けることもできるし、機器本体の機能ごとに操作制限を行うこともできる。
【００１１】
本発明の電子機器では、前記記憶手段には、操作権限を管理するパスワードが記憶されるとともに、
前記制御手段は、前記照合判定部が前記操作信号に含まれる操作パネルＩＤが前記記憶された操作パネルＩＤと不一致であると判定すると、操作者にパスワードの入力を促すパスワード入力受付部と、入力されたパスワードおよび前記記憶手段に記憶されたパスワードを照合判定するパスワード判定部とを備え、前記信号処理部は、このパスワード判定部により入力されたパスワードが前記記憶手段に記憶されたパスワードと一致すると判定されると、前記操作信号の処理を開始することが好ましい。
【００１２】
この発明によれば、操作パネルＩＤが記憶手段に記憶されていない、すなわち未登録であっても、パスワードの入力・照合により、当該操作パネルＩＤの操作パネルによる操作が許可される。これにより、操作パネルの破損・紛失時や、複数の操作パネルを使用して遠隔操作する場合等、パスワードの照合（認証）によって盗難防止効果を発揮しながら別の操作パネルを使用可能となるので、利便性が高い。
【００１３】
ここで、未登録の操作パネルＩＤを受信し、パスワードが入力・照合された際に、この操作パネルＩＤを記憶手段に記憶させて登録すれば、これ以降、当該操作パネルＩＤに関し、操作者にパスワードの入力が促されることがない。つまり、当該操作パネルを初めて使用する際に、一度パスワードを入力するだけで操作パネルＩＤが記憶手段へ登録されるため、新規の操作パネルを容易に使用できる。
【００１４】
本発明の電子機器では、前記制御手段は、前記操作パネルが前記機器本体から取り外されると、該機器本体を遠隔操作する遠隔操作モード、または、前記操作パネルが取り外された状態で前記機器本体の電源が遮断されたことを検出すると警報信号を発する盗難防止モードに設定するモード設定部を備えていることが好ましい。
【００１５】
ここで、この電子機器には、操作パネルが取り外された状態において、盗難防止モードおよび遠隔操作モードがある。
遠隔操作モードにおいては、操作パネルが機器本体から予め取り外され、操作信号を受信せず、かつ、操作パネルが機器本体に装着されない間の無操作時間が計測されるとともに、この無操作時間が所定時間を経過すると、音、光、および振動の少なくともいずれかの信号が発呼されることが好ましい。この際、必要に応じて、例えば、電波、光、超音波等による無線伝送方式を用いて、機器本体から操作パネルに信号を送信し、音、光、および振動等の信号を発呼させることができる。
なお、操作信号が複数ある場合に、いずれの操作信号を計測対象とするかは任意である。この無操作時間の計測は、操作パネルの機器本体への装着により、リセットしてよい。
無操作時間に関する所定時間については、任意に設定できる。また、無操作時間の計測には、機器本体や操作パネルに時計が組み込まれている場合、この時計の機能を利用できる。
【００１６】
この発明によれば、遠隔操作モードに設定すると、操作パネルを機器本体から取り外して使用し、所定時間、無操作であった場合に、操作パネルの紛失を知らせるアラームとして、音、光、振動などを操作パネルから発呼させることが可能となる。これにより、光、音、振動などの発信源をたどって、持ち出された操作パネルを容易に発見できる。
また、無操作時間の計時手段や遠隔操作モードを実行する手段が操作パネル側にある場合には、機器本体と操作パネルとの位置関係や距離等に起因して、機器本体と操作パネルが通信不能であっても、上記アラームを操作パネルから確実に生じさせることができる。よって、持ち出し中に紛失し易い操作パネルの紛失を効果的に防止できる。
【００１７】
一方、盗難防止モードにおいては、当該モードに設定しておくだけで、電源ケーブルのプラグが外部電源から抜かれたり切断されたりすることによって機器本体の電源が遮断された際に、盗難発生を通知する警報信号が発せられるので、容易に盗難防止を図ることができる。
なお、電子機器の種類や使用状態によっては、通電が停止したことが外観上判別されにくい場合もあるから、電子機器の使用中にも盗難防止効果を奏する。
また、電源の遮断を検出する手段や、警報信号を発する手段に電力が必要とされる場合には、これらの手段に一次電池や二次電池から電力を供給できる。
【００１８】
ここで、電子機器の使用態様によっては、これら遠隔操作モードおよび盗難防止モードの両方を同時に設定することは必ずしも妥当でないと考えられる。
つまり、両方のモードが同時設定されていると、操作パネルと機器本体とを別々に保管して盗難防止を図っている場合には、取り外された操作パネルの無操作によって上記アラームが出力されてしまい、機器とは隔離して保管されている操作パネルの所在を示すことにもなるから、適切ではないと考えられる。
また、両方のモードが同時設定されていると、電子機器を片付け、しまう際に、電源ケーブルを抜くと警報が出力されてしまい、やはり適切でないと考えられる。
【００１９】
したがって、モード設定部は、盗難防止モードおよび遠隔操作モードのうち、一方を選択して設定し、他方のモードを設定解除することが好ましい。
このようにモードが選択されて設定が切り替えられると、これら遠隔操作モードおよび遠隔操作モードが同時に設定されないので、両方のモードの同時設定が電子機器の使用上妥当でないような場合にも、不都合がなく、合理的な設計とすることができる。
また、これら遠隔操作モードおよび遠隔操作モードに関して、各モードの設定／設定解除を別個独立に行わないで、切替スイッチ等の操作手段によって各モードを一度に設定または設定解除できるので、操作を簡略化できる。
【００２０】
本発明の電子機器では、前記制御手段は、前記操作パネルが前記機器本体に装着された状態か取り外された状態かを判定する状態判定部を備えていることが好ましい。
ここで、状態判定部による操作パネルの状態判定の方法としては、操作パネルと機器本体との導電の検出や、電波、光、超音波等による通信、機械的な手段を介して実現できる。この場合の通信手段としては、有線、無線に関わらず広く採用できる。例えば、電磁誘導を用いたものや、ＩｒＤＡや独自規格等による赤外線通信、Ｂｌｕｅｔｏｏｔｈ、無線ＬＡＮ、ＵＳＢ、およびＳＣＳＩ等の各種インターフェースを採用できる。
【００２１】
この発明によれば、状態判定部によって操作パネルの着脱状態が判別されるので、この判別結果を電子機器の各機能の処理制御に利用可能となり、操作パネルの着脱状態によって処理を自動的に振り分けて分岐させることができる。
これにより、操作パネルが機器本体から取り外された際に、上述の遠隔操作モードおよび盗難防止モードの設定あるいは設定解除について操作者に選択を促したり、操作パネルが機器本体に装着されている状態では遠隔操作モードおよび盗難防止モードの無効化を図ったりすることも可能となり、利便性を十分に向上させることができる。
また、操作パネルが装着された状態では、遠隔操作信号の受信部への電力供給を停止することも可能となり、省電力化が図られる。
さらに、操作パネルの装着／取り外しを、機器本体のランプ点灯等によって示せば、電子機器が暗所で使用される場合にも、操作パネルの着脱状態が容易に認識され、利便性に優れる。
【００２２】
本発明の電子機器では、前記機器本体は、前記操作パネルを装着するパネル装着部と、このパネル装着部および該機器本体の外周部に設けられ、前記操作パネルからの操作信号を受信する複数の信号受信部とを備え、前記状態判定部は、前記パネル装着部の信号受信部でのみ前記操作信号を受信すると前記操作パネルが装着された状態であると判定し、該パネル装着部の信号受信部および他の信号受信部で前記操作信号を受信すると操作パネルが取り外された状態であると判定することが好ましい。
【００２３】
この発明によれば、操作パネルがパネル装着部から取り外されて機器本体が遠隔操作されているときは、操作信号が任意の信号受信部に到達するのに対して、操作パネルがパネル装着部に装着されているときは、操作パネルからの操作信号はパネル装着部で遮られ、パネル装着部以外の部分にある信号受信部には到達しない。
これにより、パネル装着部の信号受信部で操作信号が受信された場合にだけ、操作パネルが装着されていると判断されるので、操作パネルの装着状態を検出するための信号方式を遠隔操作のための操作信号の方式と揃えることが可能となり、設計が単純化されて、製造コストの低減を図ることができる。
【００２４】
本発明の電子機器では、前記機器本体は、前記操作パネルに対して信号を送信する信号送信部を備え、前記制御手段は、この信号送信部から前記操作パネルに対して探索信号を送信する探索信号送信部を備え、前記操作パネルは、前記探索信号送信部からの探索信号を受信する信号受信部と、この信号受信部で探索信号を受信すると音、光、および振動の少なくともいずれかの信号を発呼する信号発呼部とを備えていることが好ましい。
ここで、探索信号送信部を実行させる操作手段としては、押下式ボタンや、液晶タッチパネル等を採用できる。
また、探索信号の無線伝送方式としては、例えば、電波、光、超音波等によるものを採用できる。
【００２５】
この発明によれば、機器本体から探索信号を送信すると、操作パネルから、該操作パネルの所在を知らせるアラームとして、音、光、振動などが生じる。これにより、そのアラームの発信源をたどることで、操作パネルの所在を確認できる。このように操作パネルが探索されることによって、操作パネルの紛失を効果的に防止できる。
なお、機器本体の盗難に際して、探索信号の送信によって操作パネルの所在が知られ、操作パネルが機器本体とともに盗難されるおそれがあるため、上記盗難防止モードに設定されているときには、あえて、探索信号は送信不可とされることが好ましい。
【００２６】
本発明の電子機器では、前記機器本体には、前記探索信号送信部から探索信号を送信させる信号送信操作部が設けられ、この信号送信操作部は、前記操作パネルが装着される前記機器本体のパネル装着部に設けられていることが好ましい。
この発明によれば、操作パネルが装着状態にあるとき、信号送信操作部が操作パネルに隠蔽されて外部に露出しないので、信号送信操作部の誤作動を防止できる。
【００２７】
ここで、操作パネルが装着状態であるときには操作パネルを探索する必要がなく、むしろ、探索信号送信部の実行は好ましくないと考えられる。したがって、機器本体における信号送信操作部の位置について、合理的な設計とすることができ、操作パネルが装着されていないときに、機器本体の装着部分に設けられた信号送信操作部を操作すればよいので、操作性にも優れる。
【００２８】
本発明の電子機器では、光源から射出された光束を画像情報に応じて変調して光学像を形成し、拡大投写するプロジェクタであることが好ましい。
この発明によれば、前述したような作用及び効果を奏し、盗難防止効果を容易かつ確実に向上させることができるプロジェクタを提供できる。
【発明を実施するための最良の形態】
【００２９】
以下、本発明の実施の第一実施形態を図面に基づいて説明する。
図１には、本実施形態に係る電子機器としてのプロジェクタ１が示されている。プロジェクタ１は、動画像を投写レンズ３からスクリーンに拡大投写する機器本体２と、この機器本体２に着脱可能に設けられ、機器本体２の遠隔操作手段ともなる操作パネル７とを備えて構成されている。
【００３０】
機器本体２は、投写レンズ３と、外装ケース５と、光学系４（図２）と、電気系統６（図３）とを含んで構成されている。
【００３１】
光学系４は、光源装置から射出された光束を画像情報に応じて変調して光学像を形成し、投写レンズ３を介してスクリーン上に投写画像を形成するものである。図２には、光学系４が模式的に示されている。この光学系４は、インテグレータ照明光学系４１と、色分離光学系４２と、リレー光学系４３と、光変調装置および色合成光学装置を一体化した光学装置４４とに機能的に大別される。
インテグレータ照明光学系４１は、光源から射出された光束を照明光軸直交面内における照度を均一にするための光学系である。このインテグレータ照明光学系４１は、図８に示すように、光源装置４１１、第１レンズアレイ４１２、第２レンズアレイ４１３、偏光変換素子４１４、および重畳レンズ４１５を備えて構成される。
【００３２】
光源装置４１１は、放射光源としての光源ランプ４１６、リフレクタ４１７、およびリフレクタ４１７の光束射出面を覆う防爆ガラス４１８を備える。そして、光源ランプ４１６から射出された放射状の光束は、リフレクタ４１７で反射されて平行光束とされ、外部へと射出される。本実施形態では、光源ランプ４１６として、高圧水銀ランプを採用し、リフレクタ４１７として、放物面鏡を採用している。なお、光源ランプ４１６としては、高圧水銀ランプに限らず、例えばメタルハライドランプやハロゲンランプ等を採用してもよい。また、リフレクタ４１７として放物面鏡を採用しているが、これに限らず、楕円面鏡からなるリフレクタの射出面に平行化凹レンズを配置した構成を採用してもよい。
【００３３】
第１レンズアレイ４１２は、照明光軸方向から見てほぼ矩形状の輪郭を有する小レンズがマトリクス状に配列された構成を具備している。各小レンズは、光源ランプ４１６から射出された光束を部分光束に分割し、照明光軸方向に射出する。
第２レンズアレイ４１３は、第１レンズアレイ４１２と同様の構成であり、小レンズがマトリクス状に配列された構成を具備する。この第２レンズアレイ４１３は、重畳レンズ４１５とともに、第１レンズアレイ４１２の各小レンズの像を光学装置４４の後述する液晶パネル４４１Ｒ，４４１Ｇ，４４１Ｂ上に結像させる機能を有する。
【００３４】
偏光変換素子４１４は、第２レンズアレイ４１３からの光を１種類の偏光光に変換するものであり、これにより、光学装置４４での光の利用効率が高められている。
具体的に、偏光変換素子４１４によって１種類の偏光光に変換された各部分光束は、重畳レンズ４１５によって最終的に光学装置４４の後述する液晶パネル４４１Ｒ，４４１Ｇ，４４１Ｂ上にほぼ重畳される。偏光光を変調するタイプの液晶パネル４４１Ｒ，４４１Ｇ，４４１Ｂを用いたプロジェクタでは、１種類の偏光光しか利用できないため、ランダムな偏光光を発する光源ランプ４１６からの光束の半分が利用されない。このため、偏光変換素子４１４を用いることにより、光源ランプ４１６から射出された光束を１種類の偏光光に変換し、光学装置４４における光の利用効率を高めている。なお、このような偏光変換素子４１４は、例えば、特開平８−３０４７３９号公報に紹介されている。
【００３５】
色分離光学系４２は、２枚のダイクロイックミラー４２１，４２２と、反射ミラー４２３とを備える。インテグレータ照明光学系４１から射出された複数の部分光束は、２枚のダイクロイックミラー４２１により赤（Ｒ）、緑（Ｇ）、青（Ｂ）の３色の色光に分離される。
リレー光学系４３は、入射側レンズ４３１と、リレーレンズ４３３と、ＵＶカットフィルタ４３４と、反射ミラー４３２，４３５とを備えている。このリレー光学系４３は、色分離光学系４２で分離された色光である青色光を光学装置４４の後述する液晶パネル４４１Ｂまで導く機能を有している。
【００３６】
この際、色分離光学系４２のダイクロイックミラー４２１では、インテグレータ照明光学系４１から射出された光束のうち、緑色光成分と青色光成分とは透過し、赤色光成分は反射する。ダイクロイックミラー４２１によって反射した赤色光は、反射ミラー４２３で反射し、フィールドレンズ４２４を通って、赤色用の液晶パネル４４１Ｒに到達する。このフィールドレンズ４２４は、第２レンズアレイ４１３から射出された各部分光束をその中心軸（主光線）に対して平行な光束に変換する。他の液晶パネル４４１Ｇ，４４１Ｂの光入射側に設けられたフィールドレンズ４２４も同様である。
【００３７】
また、ダイクロイックミラー４２１を透過した青色光と緑色光のうちで、緑色光は、ダイクロイックミラー４２２によって反射し、フィールドレンズ４２４を通って、緑色光用の液晶パネル４４１Ｇに到達する。一方、青色光は、ダイクロイックミラー４２２を透過してリレー光学系４３を通り、さらにフィールドレンズ４２４を通って、青色光用の液晶パネル４４１Ｂに到達する。
なお、青色光にリレー光学系４３が用いられているのは、青色光の光路の長さが他の色光の光路長さよりも長いため、光の発散等による光の利用効率の低下を防止するためである。すなわち、入射側レンズ４３１に入射した部分光束をそのまま、フィールドレンズ４２４に伝えるためである。なお、リレー光学系４３には、３つの色光のうちの青色光を通す構成としたが、これに限らず、例えば、赤色光を通す構成としてもよい。
【００３８】
光学装置４４は、入射された光束を画像情報に応じて変調してカラー画像を形成する。この光学装置４４は，色分離光学系４２で分離された各色光が入射される３つの入射側偏光板４４２と、各入射側偏光板４４２の後段に配置される３つの視野角補正板４４３と、各視野角補正板４４３の後段に配置される光変調装置としての液晶パネル４４１Ｒ，４４１Ｇ，４４１Ｂおよび射出側偏光板４４４と、色合成光学装置としてのクロスダイクロイックプリズム４４５とを備える。
【００３９】
液晶パネル４４１Ｒ，４４１Ｇ，４４１Ｂは、例えば、ポリシリコンＴＦＴをスイッチング素子として用いたものであり、対向配置される一対の透明基板内に液晶が密封封入されている。そして、この液晶パネル４４１Ｒ，４４１Ｇ，４４１Ｂは、入射側偏光板４４２および視野角補正板４４３を介して入射する光束を画像情報に応じて変調して射出する。なお、この液晶パネル４４１Ｒ，４４１Ｇ，４４１Ｂは、図示しない保持枠により収納保持されている。
【００４０】
入射側偏光板４４２は、色分離光学系４２で分離された各色光のうち、一定方向の偏光光のみ透過させ、その他の光束を吸収するものであり、サファイアガラス等の基板に偏光膜が貼付されたものである。
また、射出側偏光板４４４も、入射側偏光板４４２と略同様に構成され、液晶パネル４４１Ｒ，４４１Ｇ，４４１Ｂから射出された光束のうち、所定方向の偏光光のみ透過させ、その他の光束を吸収するものであり、透過させる偏光光の偏光軸は、入射側偏光板４４２における透過させる偏光光の偏光軸に対して直交するように設定されている。
【００４１】
視野角補正板４４３は、基板上に液晶パネル４４１Ｒ，４４１Ｇ，４４１Ｂで形成された光学像の視野角を補正する機能を有する光学変換膜が形成されたものである。この視野角補正板４４３は、液晶パネル４４１Ｒ，４４１Ｇ，４４１Ｂで生じる複屈折を補償する。そして、この視野角補正板４４３により、投写画像の視野角が拡大され、かつ投写画像のコントラストが向上する。
クロスダイクロイックプリズム４４５は、射出側偏光板４４４から射出され、各色光毎に変調された光学像を合成してカラー画像を形成するものである。このクロスダイクロイックプリズム４４５には、赤色光を反射する誘電体多層膜と青色光を反射する誘電体多層膜とが、４つの直角プリズムの界面に沿ってＸ字状に設けられ、これらの誘電体多層膜により３つの色光が合成される。
以上説明した液晶パネル４４１Ｒ，４４１Ｇ，４４１Ｂ、射出側偏光板４４４およびクロスダイクロイックプリズム４４５は、一体的にユニット化されている。
【００４２】
外装ケース５は、直方体状に形成された筐体である。投写レンズ３が設けられている外装ケース５の前面側とは反対側の外装ケース５の背面側に形成された凹部５１には、電源ケーブルや外部入力ケーブルが接続される複数のコネクタ５２が設けられており、上面部分には、操作パネル７が装着されるパネル装着部５３が形成されている。また、外装ケース５の前面側、背面側には、操作パネル７の赤外線による遠隔操作信号を透過する第２信号透過窓５４が１つずつ設けられている。
【００４３】
パネル装着部５３は、外装ケース５の表面を窪ませた凹部として形成されている。このパネル装着部５３の背面側の凹部内側面には、操作パネル７からの操作信号を透過する第１信号透過窓５３１が設けられている。また、このパネル装着部５３の底部分には、機器本体２から操作パネル７への電力供給用のコネクタ５３２が設けられているとともに、凹部５３３が形成されている。この凹部５３３の内部に納まるように、信号送信操作部としての押し込み式の探索ボタン５３４が設けられている。この探索ボタン５３４は、機器本体２内部の回路基板と電気的に接続されている。
【００４４】
図３は、電気系統６の構成を示すブロック図である。電気系統６は、電力供給部６１と、光源駆動部６２と、赤外線ユニット６４と、記憶手段としての記憶装置６５と、制御手段としての制御基板６６と、セキュリティ装置６３とを備えて構成されている。
ここで、電力供給部６１は、外部電源の交流を低電圧の直流に変換するトランス等を含んで形成されており、コネクタ５２に接続される電源ケーブルを通して外部電源Ｓからの電力を電気系統６内に供給する。
また、電力供給部６１は、操作ボタン７２の押下による入力操作、または操作パネル７の機器本体２への装着が所定の時間なされないと、電気系統６内への電力の供給を自動的に停止する。これにより、電気系統６内の電圧変換ロス等に伴う電力消費が抑制されて、省電力化を図ることができる。なお、電力供給を停止するユニットは、盗難防止モードＭ１／遠隔操作モードＭ２（図４）の別に応じて異なる。また、機器本体２に設けられた復帰ボタン（図示省略）の押下により、この省電力状態から復帰する。
光源駆動部６２は、所定電圧に変換するトランスや、電力蓄積用のコンデンサ、抵抗等を含んでおり、光源装置４１１に安定した電圧で電力を供給する。
【００４５】
赤外線ユニット６４では、操作パネル７と機器本体２との通信が行われる。この赤外線ユニット６４は、操作パネル７の装着時にその装着状態を検出するための第１信号送受信部６４１と、遠隔操作信号を送受信するための第２信号送受信部６４２とを含んで構成されている。第１信号送受信部６４１および第２信号送受信部６４２は、外装ケース５に設けられた第１信号透過窓５３１、第２信号透過窓５４に応じた位置にそれぞれ設けられており、第１信号透過窓５３１、第２信号透過窓５４を介し、機器本体２と操作パネル７との間で所定方式の赤外線通信が行われる。
【００４６】
これら第１信号送受信部６４１および第２信号送受信部６４２は、発光素子として赤外線発光ダイオードを有するとともに、受光素子としてフォトダイオードを有しており、赤外線の受光半値角は、例えば４５°に設定されている。この受光半値角、および、操作パネル７と機器本体２との位置関係に応じて、第１信号送受信部６４１および二つの第２信号送受信部６４２のうち、操作パネル７と互いに通信可能な１つ以上の送受信部が定まる。
【００４７】
ここで、通信手段として、赤外線ではなく電波が用いられたような場合、電波が拡散するのに対し、ここで用いられる赤外線は指向性が狭いため、操作パネル７がパネル装着部５３に装着されていると、パネル装着部５３の側壁が障害物となって操作パネル７と第２信号送受信部６４２との間で通信できず、操作パネル７と第１信号送受信部６４１との間のみで通信が行われる。このことから、操作パネル７が第１信号送受信部６４１と通信可能であり、かつ、第２信号送受信部６４２とは通信不可である場合に、操作パネル７はパネル装着部５３に装着された状態であると判定でき、第１信号送受信部６４１および第２信号送受信部６４２で受信したとき又は第２信号受信部６４２のみで受信した場合には、操作パネル７がパネル装着部５３から取り外されて、遠隔操作状態にあると判定できる。このような操作パネル７の装着状態は、パネル状態判定部６７２（図４）によって、所定の駆動周波数の下、繰り返し検出される。
なお、操作パネル７の装着状態の検出には、第１信号送受信部６４１と操作パネル７との通信手段として、赤外線通信以外の無線通信や、ＵＳＢ接続等を採用できるが、第１信号送受信部６４１と、遠隔操作信号送受信用の第２信号送受信部６４２とを同じ通信方式とすれば、配線を並列化して容易に製造でき、製造コストの低減も図られる。
【００４８】
記憶装置６５には、データベース６５１のデータとして、プロジェクタ１の製品出荷時に機器本体２に装着される操作パネル７の操作パネルＩＤ９９と、管理用パスワード１００とが製造段階で記憶されている。
操作パネルＩＤ９９は、個々の操作パネル７ごとに付与されている固有の識別ＩＤである。また、管理用パスワード１００は、操作パネル７の操作権限を管理するために用いられ、プロジェクタ１の使用権限を有する者の間で秘密に管理される。これら操作パネルＩＤ９９および管理用パスワード１００は、英数字および記号の任意の組み合わせとされており、操作パネルＩＤ９９および管理用パスワード１００ごとに所定の桁数が定められている。
【００４９】
図４は、制御基板６６の構成を示すブロック図であり、制御基板６６は、操作パネル７との通信を介して操作パネル７や機器本体２を制御する内部回路である。この制御基板６６は、赤外線ユニット６４の入出力に関する電気信号変換部６６１および赤外線信号変換部６６２と、機器本体２が作動する際に演算が実行される演算装置６９０とを実装している。
この演算装置６９０のメモリ部分には、記憶装置６５に記憶される操作パネルＩＤ９９や管理用パスワード１００に関するデータベース管理部６６３、照合判定部６６４、パスワード入力受付部６６５、パスワード判定部６６６、および信号処理部６６７と、機器本体２のそれぞれの機能に応じた処理を実行する各機能実行部６６８と、モード設定部６６９とが、演算装置６９０上で実行可能なソフトウェア・プログラムとして読み込まれ、適宜、実行される。
そのほか、制御基板６６は、操作パネル７の紛失に関して、タイマー６７１、状態判定部としてのパネル状態判定部６７２、探索ボタン５３４の回路基板側部分である探索信号送信部６７３、および、操作パネル７に送信する機器本体２の情報を検出する本体状態検出部６８０とを実装して構成されている。
なお、制御基板６６の実装態様や、演算装置６９０上で実行するソフトウェア・プログラムの構成は、任意に設計できる。例えば、タイマー６７１を、演算装置６９０のクロック数を利用したソフトウェア・タイマーとしてもよい。
【００５０】
機器本体２は、上述のような制御基板６６による動作を介し、操作パネル７によって操作される。
ここで、プロジェクタ１には、操作パネル７が取り外された状態において、盗難防止モードＭ１および遠隔操作モードＭ２という２つのモードがある。モード設定部６６９には、盗難防止モードＭ１および遠隔操作モードＭ２のうちいずれか、設定中のモードを示す値が記憶され、これにより、機器本体２のモード設定状態が保持されている。盗難防止モードＭ１とは、機器本体２の盗難防止機能が作動するモードであり、遠隔操作モードＭ２は、操作パネル７を機器本体２から取り外して遠隔操作する際のモードで、操作パネル７によって所定の時間操作されない場合、操作パネル７の紛失をアラーム発生によって通知するモードである。
【００５１】
操作パネル７は、図１に示されるように、略矩形平板状のカード形状に形成されている。この操作パネル７の表面側には、機器本体２に関する情報を液晶により表示する液晶表示部７１と、各種の操作ボタン７２とが設けられている。これらの操作ボタン７２は、機器本体２による投写画像の再生、停止、音声のボリューム調整、投写画像の色コントラスト調整、モード切替等の主要な機能に対応しており、機器本体２には、操作ボタン７２に対応する操作ボタン類は設けられていない。つまり、機器本体２の主要な機能である操作手段は、操作パネル７によって専有されている。したがって、同機能の操作方法が複数ある場合には、設計上も無駄であり、操作上混乱を生じてしまうのに対し、本実施形態では、機器本体２のそれぞれの機能を実現する操作方法は、所定の操作ボタン７２の押下や回転、スライド等、一つの操作方法に一元化されているため、ユーザの操作上の混乱を防止して操作性の向上に寄与できるとともに、設計を単純化して製造コストも低減できる。
なお、操作ボタン７２のひとつとして、機器本体２のモードである盗難防止モードＭ１と遠隔操作モードＭ２とを切り替えるモード切替ボタン７２１が設けられている。このモード切替ボタン７２１は、押下することで、モードＭ１／Ｍ２の切替が容易にできる。
また、操作パネル７の一方の端面には、機器本体２との間で送受信される赤外線信号の信号透過窓７３が設けられている。
そして、操作パネル７の裏側には、図示を省略するが、電極と、二次電池が内蔵された電池収納部が形成されている。
【００５２】
このような操作パネル７は、液晶表示部７１や操作ボタン７２の設けられている面を表側としてパネル装着部５３に収容されて、機器本体２に装着される。
この際、信号透過窓７３とパネル装着部５３の第１信号透過窓５３１との位置が重なり、機器本体２と操作パネル７は、互いの赤外線ユニット６４、８１（図５）を介して通信可能となる。また、操作パネル７が機器本体２に装着されている間は、操作パネル７裏面の電極にパネル装着部５３のコネクタ５３２が当接し、操作パネル７に必要な電力は、内蔵の二次電池からではなく、コネクタ５３２を介し、外部電源Ｓから供給される。
また、操作パネル７がパネル装着部５３に収容されると、操作パネル７の裏面側に探索ボタン５３４が隠蔽される。このような位置に探索ボタン５３４が配置されていることにより、操作パネル７が機器本体２に装着され、つまり、操作パネル７の所在が明らかであるにも関わらず、探索ボタン５３４が誤って実行されるのを防止できる。
【００５３】
さらに、操作パネル７は、パネル装着部５３から取り外され、機器本体２の遠隔操作手段としても使用できる。この場合、操作パネル７の作動に必要な電力は、内蔵の二次電池から供給されている。
ここで、操作パネル７は、プロジェクタ１の保管時には、機器本体２とは別々に隔離して、保管される。この状態では、操作パネル７がパネル装着部５３から取り外されていることは外観上明らかであり、操作パネル７がなければ機器本体２の再生、画質調整等ができず、事実上、機器本体２は使用不可能であることから、盗難防止効果を奏することができる。
【００５４】
図５は、操作パネル７の内部構成を示すブロック図である。操作パネル７の内部には、機器本体２と通信を行う信号受信部および信号送信部としての赤外線ユニット８１が設けられ、内部の回路基板には、赤外線ユニット８１の入出力に関する赤外線信号変換部８２および電気信号変換部８３と、固有の操作パネルＩＤ９９が製造段階で記憶されたＩＤ記憶部８４とが実装されている。また、操作パネル７は、振動手段８５およびスピーカ８６を内蔵しており、これら振動手段８５およびスピーカ８６は、液晶表示部７１ととともに、信号発呼部に相当する。
【００５５】
機器本体２および操作パネル７の動作を、図３から図６を参照して説明する。
操作ボタン７２が押下されると、ＩＤ記憶部８４に記憶された操作パネルＩＤ９９と、押下された操作ボタン７２に対応する各機能別の機能ＩＤとを含んだ操作信号ＯＰが操作パネル７から機器本体２に送信される（図５）。ここで、操作信号ＯＰは、電気信号変換部８３によって操作パネル７内の回路基板における電気信号から赤外線信号に変換され（図５）、赤外線ユニット８１、６４を介し、受信側である機器本体２の赤外線信号変換部６６２によって再び電気信号に変換される（図４）。
なお、上記とは反対に、機器本体２から操作パネル７に対して信号を送信する際は、制御基板６６における電気信号は電気信号変換部６６１によって赤外線信号に変換され（図４）、赤外線ユニット６４，８１を介し、受信側の操作パネル７の赤外線信号変換部８２によって再び電気信号に変換される（図５）。
【００５６】
そして、操作パネル７から送信され、機器本体２が受信した操作信号ＯＰは、赤外線信号変換部６６２から、タイマー６７１を介して、機器本体２の照合判定部６６４に入力される（図４）。
図６には、照合判定部６６４の処理手順が示されている。
照合判定部６６４は、入力された操作信号ＯＰから操作パネルＩＤ９９を取得し（Ｓ１）、この操作パネルＩＤ９９についてデータベース管理部６６３を介してデータベース６５１に問い合わせる（Ｓ２）。そして、当該操作パネルＩＤ９９がデータベース６５１に記憶されている場合（登録済み）には、入力された操作信号ＯＰを信号処理部６６７に出力することで、当該操作パネルＩＤに関する操作を許可する。こうして、当該操作信号ＯＰは信号処理部６６７によって処理が開始され（Ｓ５）、操作信号ＯＰに応じた処理が各機能実行部６６８で実行される。
機器本体２のデータベース６５１、および、機器本体２に製品出荷時に装着されていた操作パネル７のＩＤ記憶部８４には、製造段階で同一の操作パネルＩＤ９９が記憶されているため、その操作パネル７によって機器本体２を操作する場合には、上記のような処理の流れとなる。なお、使用する操作パネル７が機器本体２に製品出荷時に装着されていたかどうかに関わらず、その操作パネル７のＩＤ記憶部８４に記憶された操作パネルＩＤがデータベース６５１に記憶されている場合は、上記と同様の処理手順（Ｓ１、Ｓ２、Ｓ５）となる。
【００５７】
これに対し、同梱されていた操作パネル７を紛失したり破損したりして、別売りの操作パネル７を入手して使用する場合や、操作パネル７を買い足して、新しい操作パネル７を使用する場合には、次の処理手順となる。
すなわち、この場合には、照合判定部６６４による操作パネルＩＤの問い合わせ（Ｓ２）の結果、当該操作パネルＩＤ９９はデータベース６５１に記憶されていない（未登録）と判断されるから、いったん操作信号ＯＰの処理は保留されて、照合判定部６６４からパスワード入力受付部６６５に制御が移り（図４）、管理用パスワード１００の入力手順（Ｓ３）に進む。
【００５８】
ここで、パスワード入力受付部６６５は、管理用パスワード１００の入力を求める信号ＲＱを操作パネル７に送信する（図４）。この信号ＲＱを受けて、操作パネル７の液晶表示部７１には「管理用パスワードを入力してください」という文字が表示される。この表示に対して、操作ボタン７２を押下して管理用パスワード１００を入力すると、入力パスワードＰＷが信号化されて操作パネル７から機器本体２に送信され、パスワード判定部６６６に入力される。
【００５９】
パスワード判定部６６６は、入力パスワードＰＷについてデータベース６５１に問い合わせ（Ｓ４）、入力パスワードＰＷがデータベース６５１に記憶されている（認証成功）場合には、処理を保留していた操作信号ＯＰを信号処理部６６７に出力することで、当該操作パネルＩＤ９９に関する操作を許可する。これにより、信号処理部６６７によって操作信号ＯＰの処理が開始され（Ｓ５）、操作信号ＯＰに応じた処理が各機能実行部６６８で実行される。
また、入力パスワードＰＷの認証が成功した場合には、操作パネル７に問い合わせ信号ＲＧが送信され、「お使いの操作パネルを新規登録しますか？  はい／いいえ」という文字が液晶表示部７１に表示される。ここで、操作ボタン７２により「はい」と応答すると、当該操作パネル７の操作パネルＩＤ９９がデータベース管理部６６３によってデータベース６５１に登録される。これ以降、当該操作パネルＩＤ９９がデータベース６５１に登録されている限り、管理用パスワード１００の入力・認証手順は行われないため、繁雑さがない。
このような管理用パスワード１００の入力により、製造段階で記憶されていない新たな操作パネル７を使用可能となり、利便性を向上できる。
【００６０】
一方、管理用パスワード１００はプロジェクタ１の使用権限を有する者の間で秘密に管理されており、この管理用パスワード１００を知らない利用者が、でたらめなパスワードを入力しても、認証されない。
つまり、操作パネルＩＤ９９が登録されていない場合であって、入力パスワードＰＷが認証されない場合には、信号処理部６６７によって操作信号ＯＰの処理は禁止される（Ｓ６）。
このように、管理用パスワード１００の入力によって、使用権限を有さない不正な操作者による機器本体２の操作が禁止される。
【００６１】
以上のような、照合判定部６６４による操作パネル７の操作制限は、操作パネル７から操作信号ＯＰが送信され、照合判定部６６４に入力される都度、繰り返し行われる。つまり、機器本体２による投写画像の再生、停止、音声のボリューム調整、投写画像の色コントラスト調整等を操作パネル７によって操作するたびに、照合判定部６６４によって操作パネルＩＤが判定され、操作パネル７による操作の処理が許可または禁止される。したがって、使用権限を有さない操作者が、未登録の操作パネル７を使用して機器本体２を勝手に操作する等、いたずら等でプロジェクタ１の投写が妨害されるのを防止できる。
また、プロジェクタ１の使用中、本体状態検出部６８０によって検出された機器本体２の状態に関する情報が操作パネル７に送信される。そして、液晶表示部７１には、例えば、現在のモードの設定状況や外部入力の種類、投写中の動画像の名称、投写時間等の各種の情報が表示され、機器本体２を直接目視しなくても、機器本体２の状態を容易に確認できるので便利である。
【００６２】
このようなプロジェクタ１は、使用しない間は、前述したように、操作パネル７と機器本体２とを別々に隔離して保管し、操作パネル７が明らかに取り外された状態としておくのが、盗難管理上、好ましい。
また、プロジェクタ１を使用しない間も、機器本体２を電源ケーブルで外部電源Ｓに接続しておき、操作パネル７のモード切替ボタン７２１のボタン操作によって、盗難防止モードＭ１に設定しておくのが好ましい。
ここで、図３に戻って、セキュリティ装置６３は、外部電源Ｓからの機器本体２への通電に関し、機器本体２の盗難防止を図る装置であり、盗難防止モードＭ１に設定されている場合にだけ動作する。セキュリティ装置６３は、電源遮断センサ６３２と、警報信号を発するスピーカ６３３と、電源遮断センサ６３２およびスピーカ６３３の動作に必要な電力を供給するリチウム電池等の二次電池６３４とを備えて構成されている。
電源遮断センサ６３２は、外部電源Ｓから機器本体２への通電部分と、増幅回路や電圧比較回路（コンパレータ）とを含んで構成され、検出箇所の電気抵抗が所定の値（例えば、１〜２Ω）以下である場合は外部電源Ｓと通電していると検出し、この所定の値を超えた場合は通電が遮断されたことを検出する。
【００６３】
そして、盗難防止モードＭ１に設定されていると、機器本体２を外部電源Ｓに接続している電源ケーブル等が電源コンセントから抜かれたり、電源ケーブルが断線したりした場合に、電源遮断センサ６３２によって、外部電源Ｓと機器本体２との電源遮断が検出されて、スピーカ６３３から警報が鳴り響く。これにより、電源ケーブル等によって外部電源Ｓに機器本体２を繋いでおくだけで、電源ケーブルが鍵のような役割を果たし、電源ケーブルを外部電源Ｓから取り外したり切断したりすると、警報が出力されるので、機器本体２の盗難を確実に防止できる。
【００６４】
さらに、仮に、機器本体２が盗難された場合でも、上述したように、管理用パスワード１００を知らない限り、別売りの操作パネル７を入手して機器本体２を操作することができないので、盗難防止効果をより一層向上・充実させることができる。
【００６５】
ところで、操作パネル７は、機器本体２から着脱可能であるため、持ち出し中に紛失しやすい。操作パネル７を紛失した場合は、探索ボタン５３４により、必要に応じて、操作パネル７の所在を確認することができる。
具体的には、パネル装着部５３に操作パネル７が収容されておらず、空であるとき、探索ボタン５３４を押下することによって、探索信号送信部６７３および赤外線ユニット６４を介して操作パネル７に探索信号ＳＣが送信される。この探索信号ＳＣを操作パネル７が受信すると、操作パネル７は振動手段８５により励振し、スピーカ８６から電子音が出力されるとともに、液晶表示部７１には、「探索中：操作パネルを機器本体に装着してください」との文字が表示され、液晶部分に設けられたバックライトが点滅する。
このように操作パネル７からアラームとして発生する光や振動、電子音の発生源をたどれば、操作パネル７を容易に発見できるので、操作パネル７の紛失を効果的に防止できる。
なお、盗難防止モードＭ１に設定されているときは、探索ボタン５３４を押下しても、探索信号ＳＣが操作パネル７に送信されない仕様となっている。このため、探索ボタン５３４の操作により機器本体２とは別の場所に保管された操作パネル７が発見されて、操作パネル７が機器本体２と共に盗難されるのを阻止できる。
また、機器本体２側であらかじめ設定した操作パネルＩＤ９９の操作パネル７のみが探索信号ＳＣに反応するようにしてもよい。
【００６６】
ここで、操作パネル７を機器本体２から取り外し、機器本体２を遠隔操作する際には、遠隔操作モードＭ２に設定して、操作パネル７の紛失に効果的に対処できる。
盗難防止モードＭ１と遠隔操作モードＭ２とを切り替えるようにモード切替ボタン７２１を押下すると、操作パネル７から操作信号ＯＰが送信され、パスワード入力受付部６６５によって、操作者に管理用パスワード１００の入力が促される。これを受けて操作パネル７でパスワードが入力されると、この入力パスワードＰＷは、パスワード判定部６６６でデータベース６５１に記憶された管理用パスワード１００と照合され、このパスワード照合（認証）が成功したときは、盗難防止モードＭ１／遠隔操作モードＭ２が相互に切り替わり、認証に失敗したときは、モードＭ１／Ｍ２は切り替わらない。
このように、盗難防止モードＭ１／遠隔操作モードＭ２との切替には、管理用パスワード１００の入力・認証が必要であるため、操作権限がない部外者による不正なモード切替を防止できる。ひいては、部外者による盗難防止モードＭ１の設定解除を防いで、盗難防止効果の向上に寄与できる。
【００６７】
上記のモード切替操作によって遠隔操作モードＭ２に設定されているときは、操作パネル７が機器本体２から取り外され、操作ボタン７２が操作されないまま所定時間経過した際に、操作パネル７は紛失したと判断される。この所定の時間は、任意に設定可能である。操作パネル７が操作されない時間、すなわち無操作時間の計測は、タイマー６７１によって行われる。タイマー６７１は、操作パネル７からの信号受信時の時間間隔を計測する。
そして、操作パネル７の無操作時間が所定の時間経過すると、探索ボタン５３４を押下した際と略同様に、操作パネル７の探索が実施される。こうして、操作パネル７から出力される上記アラームによって操作パネル７の所在が通知されるため、紛失状態にある操作パネル７を容易に発見できる。
なお、操作パネル７の装着状態は、前述のように、パネル状態判定部６７２によって、第１信号送受信部６４１および第２信号送受信部６４２を介して検出されており、操作パネル７がパネル装着部５３に収納されているとき、タイマー６７１による計測は行われない。
【００６８】
また、パネル状態判定部６７２によって、操作パネル７が機器本体２から取り外されたと判定されると、機器本体２には、現在設定されているモードに応じて電子音が鳴るとともに、「現在、盗難防止モード（あるいは遠隔操作モード）に設定されています。」とのメッセージが液晶表示部７１に表示される。このメッセージに対し、操作ボタン７２を押下して「了解」と応答することで、このメッセージ表示が消去されるようになっている。
すなわち、操作パネル７が機器本体２に装着されているか、機器本体２から取り外されているかの判定により、盗難防止モードＭ１および遠隔操作モードＭ２のいずれかを、状況に応じて選択させることが可能となり、利便性に優れる。
【００６９】
また、以上のような盗難防止モードＭ１／遠隔操作モードＭ２は、モード切替ボタン７２１によって、常にいずれか一方のモードを選択的に設定でき、それぞれのモードＭ１／Ｍ２をそれぞれ個別に設定する手間がかからない。
そして、盗難防止モードＭ１と遠隔操作モードＭ２が同時に設定されていると、操作パネル７と機器本体２とを別々に保管して盗難防止を図っている場合には、取り外された操作パネル７の無操作によって上記アラームが出力されてしまい、機器本体２とは隔離して保管されている操作パネル７の所在を明かすことにもなるが、盗難防止モードＭ１に設定されているときは、遠隔操作モードＭ２に設定されることはなく、不都合のない合理的な設計とすることができる。
また、反対に、遠隔操作モードＭ２に設定されているときは、盗難防止モードＭ１に設定されることがないから、プロジェクタ１を使い終わり、電源ケーブルを抜いて片付ける際に、予期せず警報が出力されてしまうこともなく、操作性にも優れる。
【００７０】
本発明は、前述の実施形態に限定されるものではなく、以下に示すような変形をも含むものである。
本発明の操作パネルや機器本体の構成は、前記実施形態で例示したものに限定されない。
例えば、１つの機器本体に複数の操作パネルが対応し、記憶手段には複数の操作パネルＩＤが記憶されていても良い。こうすると、同時に複数の操作パネルによって機器本体を操作できる。
【００７１】
また、操作パネルＩＤの記憶手段への記憶（登録）や削除、変更を、パスワードの入力・照合（認証）を条件に、任意に行える構成としてもよい。操作パネルＩＤを記憶手段から削除すれば未登録の状態となり、この操作パネルＩＤを記憶手段に再び記憶させれば、登録状態となる。
ここで、操作パネルＩＤを追加登録可能とすれば、予め製造段階で機器本体に操作パネルＩＤが記憶されていなくても、操作パネルＩＤを後から登録して操作パネルを使用できる。また、操作パネルＩＤの削除を可能とすれば、操作パネルの紛失・盗難が生じた際に、当該操作パネルの操作パネルＩＤの削除によって当該操作パネルによる機器本体の操作が禁止されるため、機器本体の不正使用や盗難を抑止できる。
【００７２】
前記実施形態では、操作信号ＯＰに操作パネルＩＤ９９が含まれており、操作パネル７から機器本体２に操作信号が送信されるたびに操作パネルＩＤ９９の照合判定を行っていたが、この照合判定を、機器本体の電源投入時や機器本体と操作パネルとの通信開始時にのみ行い、伝送処理を簡略化することも考えられる。
さらに、制御手段による操作制限の対象となる操作を限定し、操作パネルによる一部の操作については、操作パネルＩＤの照合判定を行わなくてもよい。あるいは、操作パネルＩＤの照合判定を実施せず、すべての操作パネルによる操作を受け付けるモードを設定することも考えられる。
【００７３】
そして、操作パネルには、電子機器の各機能に応じて、操作ボタンやスイッチ等の操作手段を設けられる。機器本体から取り外され、遠隔操作時には使用しない機能の操作手段を無効化することも考えられる。
ここで、機器本体側には、操作パネル側に設けられた操作ボタン類と機能的に重複する操作ボタン類を設けてもよいが、そのような操作ボタン類を機器本体側には設けない方が、操作パネルの取り外しによる盗難防止効果を高くできる。
また、操作パネルに演算装置を搭載することもできる。この場合、この演算装置によって操作信号の送信間隔を計測し、この送信間隔を無操作時間として操作パネルの紛失を判断することが考えられる。状態判定部の処理と等価の処理を操作パネル側で行うことも考えられる。
【００７４】
さらに、操作パネルが発呼する音、光、振動等の信号としては、いろいろな態様を採用できる。例えば、フラッシュ放射によって操作パネルの所在が示されてもよい。
ここで、このような信号は、機器本体から発呼されても構わない。機器本体への表示、または、機器本体からの光、音、振動の発生等によって操作パネルが紛失したことを示せば、操作パネルと機器本体とが通信不能となった場合にも、操作パネルの紛失を認識できる。
【００７５】
操作パネルが装着されているか、取り外されているかの状態判定には、前記実施形態のように赤外線を用いる必要はない。例えば、前記実施形態では、操作パネル７側の電極と機器本体２側のコネクタ５３２との間の導電状態を検出することにより、操作パネルの装着状態を判定できる。あるいは、ＵＳＢ接続等の有線通信によって操作パネルの装着状態を判定してもよいし、操作パネルと機器本体との間に設けられたばね等を介し、操作パネルの装着状態を機械的に判定してもよい。
【００７６】
また、パスワードを入力する操作ボタン等のインターフェースは、機器本体側にも、操作パネル側にも設けることができる。操作パネルに演算装置を搭載し、操作パネル側でパスワード入力受付部の処理と等価の処理を行うことも可能である。
さらに、パスワードの入力は適宜実施でき、例えば、機器本体の電源投入時にパスワード入力を促してもよい。こうすれば、電子機器を使用する際には常にパスワード入力が必要となるので、たとえ機器本体と操作パネルとが同じ場所に保管されていても、盗難を抑止できる。
そして、複数のパスワードを導入し、ユーザや操作ごとにパスワードを使い分け、操作権限の管理をより細かく、かつ適切に行うこともできる。
【００７７】
電子機器には、遠隔操作モード、盗難防止モードの他に、任意のモードを設けてよい。これらの各モードは、モード設定部でそれぞれ個別に設定／設定解除することもできるし、互いに排他的に設定することも考えられる。
ここで、これら各モードの設定や設定解除、あるいは選択を行う操作ボタン等のインターフェースは、機器本体側にも、操作パネル側にも設けることができる。
【産業上の利用可能性】
【００７８】
本発明は、操作パネルやリモートコントローラ等の操作インターフェースを有する各種の電子機器に利用できる。
【図面の簡単な説明】
【００７９】
【図１】本発明の実施形態に係るプロジェクタを表す斜視図。
【図２】前記実施形態における光学系を表す模式図。
【図３】前記実施形態における電気系統の構成を表すブロック図。
【図４】前記実施形態における制御基板の構成を表すブロック図。
【図５】前記実施形態における操作パネルの内部構成を表すブロック図。
【図６】前記実施形態における操作パネルの操作制限を説明するフローチャート。
【符号の説明】
【００８０】
１…プロジェクタ、２…機器本体、７…操作パネル、５３…パネル装着部、６５…記憶装置（記憶手段）、６６…制御基板（制御手段）、７１…液晶表示部（信号発呼部）、８１…赤外線ユニット（信号受信部）、８５…振動手段（信号発呼部）、８６…スピーカ（信号発呼部）、１００…管理用パスワード（パスワード）、５３４…探索ボタン（信号送信操作部）、６３２…電源遮断センサ、６３３…スピーカ、６４１…第１信号送受信部（信号受信部および信号送信部）、６４２…第２信号送受信部（信号受信部および信号送信部）、６６４…照合判定部、６６５…パスワード入力受付部、６６６…パスワード判定部、６６７…処理制限部、６６９…モード設定部、６７１…タイマー、６７２…パネル状態判定部（状態判定部）、６７３…探索信号送信部、９９…操作パネルＩＤ、Ｍ１…盗難防止モード、Ｍ２…遠隔操作モード、ＯＰ…操作信号、ＳＣ…探索信号。
【図１】
2005192095.tif 000003
【図２】
2005192095.tif 000004
【図３】
2005192095.tif 000005
【図４】
2005192095.tif 000006
【図５】
2005192095.tif 000007
【図６】
2005192095.tif 000008